(57)【要約】【課題】既存端子を流用して、電子装置が電子機器の接続を検出する。【解決手段】電子装置は、電子機器が接続可能な端子に接続されたグランド線と電子装置のグランドとの接続及び非接続を切り替える切り替え部と、前記グランド線と前記グランドとが非接続の場合、前記端子の電圧レベルをハイレベルにプルアップするプルアップ部と、前記グランド線の電圧レベルがハイレベルからローレベルに変化する場合、前記端子に前記電子機器が接続されたことを検出する検出部とを備える。【選択図】図２
2015207155.tif 000002
【特許請求の範囲】
【請求項１】
電子機器が接続可能な端子に接続されたグランド線と電子装置のグランドとの接続及び非接続を切り替える切り替え部と、
前記グランド線と前記グランドとが非接続の場合、前記端子の電圧レベルをハイレベルにプルアップするプルアップ部と、
前記グランド線の電圧レベルがハイレベルからローレベルに変化する場合、前記端子に前記電子機器が接続されたことを検出する検出部と
を備える電子装置。
【請求項２】
前記電子機器に電力を出力する出力部を備え、
前記検出部は、前記グランド線と前記グランドとが接続されるように前記切り替え部を制御し、かつ、前記出力部から電力が出力されるように前記出力部を制御する
請求項１に記載の電子装置。
【発明の詳細な説明】
【技術分野】
【０００１】
本発明は、電子装置に関する。
【背景技術】
【０００２】
パーソナルコンピュータ等の電子装置の電源をオンにしてから、電子装置に接続されたポータブルデバイス等の電子機器の充電を行う方法がある。また、電子装置の主電源がオフの状態で、電子装置に接続された電子機器の充電を行う方法がある。電子装置の主電源がオフの場合であっても、電子機器の充電を行うための電力が常時出力されるため、電子装置の待機電力が大きい。
【０００３】
電子装置の主電源がオフの状態で、電子装置に電子機器が接続された場合に、電子装置の充電ＩＣ（Integrated Circuit）が、電子装置と電子機器との接続を検知し、電子装置が、電子機器の充電を行うための電力を出力する方法がある。この方法では、充電ＩＣが、電子機器側で流れる微弱なリーク電流を検出することにより、電子装置に電子機器が接続されたことを認識し、電子装置が、電子機器の充電を行うための電力を出力する。
【先行技術文献】
【特許文献】
【０００４】
【特許文献１】特開平７−２９５５４号公報
【特許文献２】特開２０１１−１０８４３９号公報
【発明の概要】
【発明が解決しようとする課題】
【０００５】
電子機器の種類によっては、電子機器側で流れるリーク電流が小さいため、充電ＩＣが、電子機器の接続を検知できない場合がある。また、電子機器側で流れるリーク電流の検出閾値を下げすぎると、電子装置に電子機器が接続されていないにも関わらず、充電ＩＣが、電子装置に電子機器が接続されていると誤検出する場合がある。専用端子を用いて電子装置が電子機器の接続を検出する場合、電子装置に専用端子を新たに設けることになる。
【０００６】
本件は、既存端子を用いて、電子装置が電子機器の接続を検出する技術を提供する。
【課題を解決するための手段】
【０００７】
本件の一観点による電子装置は、
電子機器が接続可能な端子に接続されたグランド線と電子装置のグランドとの接続及び非接続を切り替える切り替え部と、
前記グランド線と前記グランドとが非接続の場合、前記端子の電圧レベルをハイレベルにプルアップするプルアップ部と、
前記グランド線の電圧レベルがハイレベルからローレベルに変化する場合、前記端子に前記電子機器が接続されたことを検出する検出部と
を備える。
【発明の効果】
【０００８】
本件によれば、既存端子を用いて、電子装置が電子機器の接続を検出することができる。
【図面の簡単な説明】
【０００９】
【図１】電子装置及び電子機器の構成図である。
【図２】電子装置及び電子機器の構成図である。
【図３】電子装置の電源線、信号線、スイッチ及びグランド線の状態を時系列で示す図である。
【図４】電子装置及び電子機器の構成図である。
【発明を実施するための形態】
【００１０】
以下、図面を参照して、実施形態を説明する。実施形態の構成は例示であり、電子装置の構成は、実施形態の構成に限定されない。電子装置の構成の実施にあたって、実施形態に応じた具体的構成が適宜採用されてもよい。
【００１１】
図１及び図２は、電子装置１及び電子機器２の構成図である。電子装置１は、例えば、パーソナルコンピュータ及びサーバ等のコンピュータ装置である。電子機器２は、例えば、携帯電話機、スマートフォン等のコンピュータ装置である。
【００１２】
電子装置１は、ＵＳＢ（Universal Serial Bus）ポートコネクタ１０１、電源ユニット１０２、ＵＳＢ充電ＩＣ１０３、ＰＣＨ（Platform Control Hub）１０４及びマイクロコントローラ（電源制御部）１０５を備える。また、電子装置１は、ＣＰＵ（Central Processing Unit）１０６、メモリ１０７、表示部１０８、記憶部１０９、ＢＩＯＳ  ＲＯＭ
（Basic Input Output System Read Only Memory）１１０、スイッチ１１１及びＬＤＯ（Low Drop Out）１１２を備える。
【００１３】
ＵＳＢポートコネクタ１０１は、信号端子１２１、１２２、電源端子１２３及びグランド端子１２４を有する。例えば、信号端子１２１は、データ端子Ｄ＋であり、信号端子１２２は、データ端子Ｄ−である。ＵＳＢポートコネクタ１０１は、ノイズをシールドするフレームグランド１２５を有する。フレームグランド１２５は、導電体で形成されたフレームである。フレームグランド１２５は、配線１２６を介して電子装置１のグランド（ＧＮＤ）１３１に接続されている。電子装置１のグランド１３１は、例えば、電子装置１が有する筐体のグランド又は電子装置１が有する基板のグランドである。
【００１４】
電源ユニット１０２は、電子装置１及び電子機器２に電力を出力（供給）する。電源ユニット１０２は、例えば、スイッチイングレギュレータ（ＤＣ−ＤＣコンバータ）である。電子ユニット１０２は、出力部の一例である。電源ユニット１０２は、スイッチング素子のＯＮ、ＯＦＦの繰り返しによって入力電圧を所定電圧に変換して出力する。
【００１５】
ＵＳＢ充電ＩＣ１０３には、充電モード及び非充電モードが設定される。ＵＳＢ充電ＩＣ１０３に充電モードが設定される場合、電子装置１の主電源がオフ時において、電源ユニット１０２から電子機器２に電力の供給が行われる。ＵＳＢ充電ＩＣ１０３に非充電モードが設定される場合、電子装置１の主電源がオフ時において、電源ユニット１０２から電子機器２に電力の供給が行われない。
【００１６】
ＰＣＨ１０４は、チップセットである。ＰＣＨ１０４は、サウスブリッジとも称される。ＰＣＨ１０４は、ＧＰＩＯ（General Purpose Input Output）コントローラ１４１及びＵＳＢコントローラ１４２を有する。ＧＰＩＯコントローラ１４１は、周辺デバイス等の制御を行う。ＧＰＩＯコントローラ１４１は、ＵＳＢ充電ＩＣ１０３に対して充電モード又は非充電モードの設定を行う。ＵＳＢコントローラ１４２は、ＵＳＢ通信を制御する。
【００１７】
電子装置１は、信号線１５１、１５２、電源線１５３及びグランド線１５４を備える。信号線１５１、１５２は、ＵＳＢ充電ＩＣ１０３を経由して、ＵＳＢポートコネクタ１０１及びＵＳＢコントローラ１４２に接続されている。信号線１５１は、ＵＳＢ充電ＩＣ１
０３と信号端子１２１とを相互に接続する。信号線１５２は、ＵＳＢ充電ＩＣ１０３と信号端子１２２とを相互に接続する。
【００１８】
電源線１５３は、ＵＳＢ充電ＩＣ１０３を経由して、電源ユニット１０２及びＵＳＢポートコネクタ１０１に接続されている。電源線１５３は、電源ユニット１０２とＵＳＢ充電ＩＣ１０３とを相互に接続する。電源線１５３は、ＵＳＢ充電ＩＣ１０３と電源端子１２３とを相互に接続する。
【００１９】
グランド線１５４は、ＵＳＢポートコネクタ１０１に接続されている。より詳細には、グランド線１５４は、グランド端子１２４に接続されている。グランド線１５４には、スイッチ１１１及びＬＤＯ（リニアレギュレータ）１１２が設けられている。スイッチ１１１は、グランド１３１とグランド線１５４との接続及び非接続を切り替える。スイッチ１１１は、切り替え部の一例である。スイッチ１１１は、マイクロコントローラ１０５からの制御信号に応じて、オン又はオフの状態になる。スイッチ１１１がオン状態になることにより、グランド線１５４が、グランド１３１に接続される。スイッチ１１１がオフ状態になることにより、グランド１３１とグランド線１５４とが非接続の状態になる。
【００２０】
ＬＤＯ１１２は、入力電圧を所定電圧に変換して出力する。ＬＤＯ１１２は、抵抗１６１を介して、グランド線１５４の電圧レベル（電位）をＨｉｇｈレベル（第１所定電圧）にプルアップする。ＬＤＯ１１２及び抵抗１６１は、プルアップ部の一例である。スイッチ１１１がオン状態の場合、グランド線１５４がグランド１３１に接続されるため、グランド線１５４の電圧レベルはＬｏｗレベル（第２所定電圧、グランド電圧）になる。スイッチ１１１がオフ状態の場合、グランド線１５４とグランド１３１とが非接続の状態になる。グランド線１５４はプルアップされているため、グランド線１５４の電圧レベルはＨｉｇｈレベルになる。
【００２１】
マイクロコントローラ１０５は、電源ユニット１０２、ＵＳＢ充電ＩＣ１０３及びスイッチ１１１と電気的に接続されている。マイクロコントローラ１０５は、電源ユニット１０２、ＵＳＢ充電ＩＣ１０３及びスイッチ１１１に制御信号を送り、電源ユニット１０２、ＵＳＢ充電ＩＣ１０３及びスイッチ１１１の動作を制御する。グランド線１５４には、配線１６２が設けられている。配線１６２は、マイクロコントローラ１０５に接続されている。マイクロコントローラ１０５には、配線１６２を介して、グランド線１５４の電圧レベルの信号が入力される。
【００２２】
ＣＰＵ１０６は、メモリ１０７に記憶されている各種プログラムに従って各種処理を実行する。メモリ１０７は、電子装置１で使用されるプログラム及びデータを記憶する。メモリ１０７は、例えば、ＲＯＭ（Read Only Memory）及びＲＡＭ（Random Access Memory）である。表示部１０８は、例えば、ＣＲＴ（Cathode Ray Tube）、液晶ディスプレイ、プラズマディスプレイ及び有機ＥＬ（electroluminescence）ディスプレイである。
【００２３】
記憶部１０９は、複数のプログラム及び各プログラムの実行に際してＣＰＵ１０６が使用するデータを記憶する。記憶部１０９は、例えば、ＥＰ（Erasable Programmable）Ｒ
ＯＭ及びハードディスクドライブ（Hard Disk Drive）である。ＢＩＯＳ  ＲＯＭ１１０
は、ＢＩＯＳプログラムを格納する。
【００２４】
電子機器２は、ＵＳＢポートコネクタ２０１、ＵＳＢコントローラ２０２及びバッテリ（二次電池）２０３を備える。ＵＳＢポートコネクタ２０１は、信号端子２１１、２１２、電源端子２１３及びグランド端子２１４を有する。例えば、信号端子２１１は、データ端子Ｄ＋であり、信号端子２１２は、データ端子Ｄ−である。
【００２５】
ＵＳＢポートコネクタ２０１は、ノイズをシールドするフレームグランド２１５を有する。フレームグランド２１５は、導電体で形成されたフレームである。フレームグランド２１５は、配線２１６を介して電子機器２のグランド２２１に接続されている。電子機器２のグランド２２１は、例えば、電子機器２が有する筐体のグランド又は電子機器２が有する基板のグランドである。ＵＳＢコントローラ２０２は、ＵＳＢ通信を制御する。バッテリ２０３は、電子装置１から電子機器２に供給される電力を充電する。バッテリ２０３は、充電した電力を電子機器２に出力（供給）する。
【００２６】
電子機器２は、信号線２３１、２３２、電源線２３３及びグランド線２３４を備える。信号線２３１は、ＵＳＢコントローラ２０２と信号端子２１１とを相互に接続する。信号線２３２は、ＵＳＢコントローラ２０２と信号端子２１２とを相互に接続する。
【００２７】
電源線２３３は、ＵＳＢコントローラ２０２を経由して、バッテリ２０３及び電源端子２１３に接続されている。電源線２３３は、ＵＳＢコントローラ２０２とバッテリ２０３とを相互に接続するとともに、ＵＳＢコントローラ２０２と電源端子２１３とを相互に接続する。グランド線２３４は、電子機器２のグランド（ＧＮＤ）２２１に接続されるため、グランド線２３４の電圧レベルはＬｏｗレベル（グランド電位）になる。
【００２８】
信号線２３２と電源線２３３との間に抵抗２４１が設けられている。電源線２３３を介して電子機器２に電力が供給されることにより、信号線２３２の電圧レベルが、抵抗２４１を介してＨｉｇｈレベル（第３所定電圧）にプルアップされる。信号線２３１と電源線２３３との間に抵抗２４１を設けてもよい。電源線２３３を介して電子機器２に電力が供給されることにより、信号線２３１の電圧レベルが、抵抗２４１を介してＨｉｇｈレベル（第３所定電圧）にプルアップされる。
【００２９】
〈電子装置１の主電源がオンの場合の説明〉
電子装置１の主電源がオンの場合について説明する。マイクロコントローラ１０５は、電源ユニット１０２及びスイッチ１１１に制御信号を送る。マイクロコントローラ１０５が、電源ユニット１０２に制御信号を送ることにより、電源ユニット１０２の出力が有効になる。すなわち、マイクロコントローラ１０５は、電源ユニット１０２の出力が有効になるように、電源ユニット１０２の動作を制御する。電源ユニット１０２は、電子装置１に電力を出力（供給）する。ＵＳＢ充電ＩＣ１０３及び電源線１５３を介して、電源ユニット１０２からＵＳＢポートコネクタ１０１に電力が供給される。マイクロコントローラ１０５が、スイッチ１１１に制御信号を送ることにより、スイッチ１１１がオン状態となる。すなわち、マイクロコントローラ１０５は、スイッチ１１１がオン状態になるように、スイッチ１１１の動作を制御する。スイッチ１１１がオン状態となり、グランド線１５４がグランド１３１に接続される。
【００３０】
〈電子装置１の主電源がオフの場合の説明（１）〉
電子装置１の主電源がオフであって、かつ、電子装置１に電子機器２が接続されていない場合について説明する。マイクロコントローラ１０５が、電源ユニット１０２に制御信号を送ることにより、電源ユニット１０２の出力が無効になる。電源ユニット１０２は、電子装置１への電力の供給を停止する。電源ユニット１０２から電子装置１への電力の供給が停止することにより、電子装置１の待機電力が低下する。図示しない電源ユニットが、マイクロコントローラ１０５に電力を供給する。また、図示しないバッテリが、マイクロコントローラ１０５に電力を供給してもよい。マイクロコントローラ１０５に供給される電力は少ないため、電源ユニット１０２を有効にして、電子装置１への電力の供給が行われる場合と比べて、電子装置１の待機電力が低下する。
【００３１】
マイクロコントローラ１０５が、スイッチ１１１に制御信号を送ることにより、スイッ
チ１１１がオフ状態となる。スイッチ１１１がオフ状態となることにより、グランド線１５４とグランド１３１とが非接続の状態になる。グランド線１５４はプルアップされているため、グランド線１５４の電圧レベルはＨｉｇｈレベルになる。
【００３２】
マイクロコントローラ１０５には、配線１６２を介して、グランド線１５４の電圧レベルの信号が入力される。したがって、マイクロコントローラ１０５は、配線１６２を介して、グランド線１５４の電圧レベルを監視する。
〈電子装置１の主電源がオフの場合の説明（２）〉
電子装置１の主電源がオフであって、かつ、電子装置１に電子機器２が接続された場合について説明する。図２は、電子装置１に電子機器２が接続された場合の説明図である。図２に示すように、ＵＳＢケーブル３を介して、電子装置１のＵＳＢポートコネクタ１０１と電子機器２のＵＳＢポートコネクタ２０１とが接続されている。
【００３３】
ＵＳＢケーブル３は、信号線３０１、３０２、電源線３０３及びグランド線３０４を有する。ＵＳＢケーブル３の信号線３０１を介して、電子装置１の信号端子１２１と電子機器２の信号端子２１１とが接続されることにより、電子装置１の信号線１５１と電子機器２の信号線２３１とが電気的に接続される。ＵＳＢケーブル３の信号線３０２を介して、電子装置１の信号端子１２２と電子機器２の信号端子２１２とが接続されることにより、電子装置１の信号線１５２と電子機器２の信号線２３２とが電気的に接続される。
【００３４】
ＵＳＢケーブル３の電源線３０３を介して、電子装置１の電源端子１２３と電子機器２の電源端子２１３とが接続されることにより、電子装置１の電源線１５３と電子機器２の電源線２３３とが電気的に接続される。ＵＳＢケーブル３のグランド線３０４を介して、電子装置１のグランド端子１２４と電子機器２のグランド端子２１４とが接続されることにより、電子装置１のグランド線１５４と電子機器２のグランド線２３４とが電気的に接続される。
【００３５】
図２では、ＵＳＢケーブル３を介して、電子装置１のＵＳＢポートコネクタ１０１と電子機器２のＵＳＢポートコネクタ２０１とが接続されている例を示している。図２に示す例に限らず、電子装置１のＵＳＢポートコネクタ１０１と電子機器２のＵＳＢポートコネクタ２０１とが直接接続されてもよい。電子装置１の信号端子１２１と電子機器２の信号端子２１１とが直接接続されてもよい。電子装置１の信号端子１２２と電子機器２の信号端子２１２とが直接接続されてもよい。電子装置１の電源端子１２３と電子機器２の電源端子２１３とが直接接続されてもよい。電子装置１のグランド端子１２４と電子機器２のグランド端子２１４とが直接接続されてもよい。このように、電子装置１の信号端子１２１、１２２、電源端子１２３及びグランド端子１２４は、電子機器２と接続可能になっている。
【００３６】
電子機器２のグランド線２３４の電圧レベルはＬｏｗレベルであるため、電子装置１のグランド線１５４と電子機器２のグランド線２３４とが電気的に接続されることにより、電子装置１のグランド線１５４の電圧レベルはＬｏｗレベルになる。Ｌｏｗレベルの信号がマイクロコントローラ１０５に入力されるため、マイクロコントローラ１０５は、グランド線１５４の電圧レベルの変化を検知する。グランド線１５４の電圧レベルがＨｉｇｈレベルからＬｏｗレベルに変化する場合、マイクロコントローラ１０５は、電子装置１のグランド端子１２４と電子機器２のグランド端子２１４との接続を検出する。すなわち、マイクロコントローラ１０５は、電子装置１のグランド端子１２４に電子機器２が接続されたことを検出する。マイクロコントローラ１０５は、検出部の一例である。
【００３７】
グランド線１５４の電圧レベルがＬｏｗレベルからＨｉｇｈレベルに変化する場合、マイクロコントローラ１０５は、電源ユニット１０２、ＵＳＢ充電ＩＣ１０３及びスイッチ
１１１に制御信号を送る。マイクロコントローラ１０５が、スイッチ１１１に制御信号を送ることにより、スイッチ１１１がオン状態となる。すなわち、マイクロコントローラ１０５は、スイッチ１１１がオン状態になるように、スイッチ１１１の動作を制御する。スイッチ１１１がオン状態となり、グランド線１５４がグランド１３１に接続される。
【００３８】
マイクロコントローラ１０５が、電源ユニット１０２に制御信号を送ることにより、電源ユニット１０２の出力が有効になる。すなわち、マイクロコントローラ１０５は、電源ユニット１０２の出力が有効になるように、電源ユニット１０２の動作を制御する。電源ユニット１０２の出力が有効になり、電源ユニット１０２は、ＵＳＢ充電ＩＣ１０３に電力を供給する。この場合、電源ユニット１０２は、ＵＳＢ充電ＩＣ１０３以外の他の装置に対して電力を供給しない。
【００３９】
マイクロコントローラ１０５が、ＵＳＢ充電ＩＣ１０３に制御信号を送ることにより、ＵＳＢ充電ＩＣ１０３に設定された充電モードがアクティブとなる。すなわち、マイクロコントローラ１０５は、ＵＳＢ充電ＩＣ１０３が充電モードとして動作するように、ＵＳＢ充電ＩＣ１０３の動作を制御する。ＵＳＢ充電ＩＣ１０３及び電源線１５３を介して、電源ユニット１０２からＵＳＢポートコネクタ１０１に電力が供給される。ＵＳＢポートコネクタ１０１、２０１を介して、電源ユニット１０２から電子機器２に電力が供給される。
【００４０】
電源線２３３を介して電子機器２に電力が供給されることにより、信号線２３２の電圧レベルが、抵抗２４１を介してＨｉｇｈレベル（第３所定電圧）にプルアップされる。ＵＳＢコントローラ２０２が、バッテリ２０３の充電を開始することにより、バッテリ２０３に電力が供給され、バッテリ２０３が充電される。
【００４１】
電子装置１の信号端子１２２と電子機器２の信号端子２１２とが接続されている。電子機器２の信号線２３２の電圧レベルがＨｉｇｈレベル（第３所定電圧）にプルアップされているため、電子装置１の信号線１５２の電圧レベルがＨｉｇｈレベル（第３所定電圧）となる。
【００４２】
〈電子装置１の主電源がオフの場合の説明（３）〉
電子装置１の主電源がオフであって、かつ、電子装置１と電子機器２とが非接続となる場合について説明する。バッテリ２０３の充電が完了した後に、ＵＳＢポートコネクタ１０１とＵＳＢポートコネクタ２０１とが非接続となることにより、電子装置１と電子機器２とが非接続となる。また、バッテリ２０３の充電が完了する前に、ＵＳＢポートコネクタ１０１とＵＳＢポートコネクタ２０１とが非接続となることにより、電子装置１と電子機器２とが非接続となる。電子装置１と電子機器２とが非接続となると、電子装置１及び電子機器２は図１に示す状態となる。
【００４３】
スイッチ１１１はオン状態であり、グランド線１５４がグランド１３１に接続されているため、グランド線１５４の電圧レベルはＬｏｗレベルである。電子装置１の信号端子１２２と電子機器２の信号端子２１２とが接続されていない。そのため、電子装置１の信号線１５２の電圧レベルはＨｉｇｈレベル（第３所定電圧）からＬｏｗレベル（第４所定電圧）に落ちる。マイクロコントローラ１０５には、ＵＳＢ充電ＩＣ１０３を介して、信号線１５２の電圧レベルの信号が入力される。
【００４４】
マイクロコントローラ１０５は、信号線１５２の電圧レベルがＨｉｇｈレベル（第３所定電圧）からＬｏｗレベル（第４所定電圧）に変化したことを検知する。これにより、マイクロコントローラ１０５は、ＵＳＢポートコネクタ１０１とＵＳＢポートコネクタ２０１とが非接続になったことを検出する。すなわち、マイクロコントローラ１０５は、電子
装置１と電子機器２とが非接続になったことを検出する。
【００４５】
マイクロコントローラ１０５は、電源ユニット１０２、ＵＳＢ充電ＩＣ１０３及びスイッチ１１１制御信号を送る。マイクロコントローラ１０５が、スイッチ１１１に制御信号を送ることにより、スイッチ１１１がオフ状態となる。すなわち、マイクロコントローラ１０５は、スイッチ１１１がオフ状態になるように、スイッチ１１１の動作を制御する。
【００４６】
マイクロコントローラ１０５が、電源ユニット１０２に制御信号を送ることにより、電源ユニット１０２の出力が無効になる。すなわち、マイクロコントローラ１０５は、電源ユニット１０２の出力が無効になるように、電源ユニット１０２の動作を制御する。電源ユニット１０２は、ＵＳＢ充電ＩＣ１０３への電力の供給を停止する。ＵＳＢ充電ＩＣ１０３に対する電力の供給が停止することにより、電子装置１の待機電力が低下する。
【００４７】
マイクロコントローラ１０５が、ＵＳＢ充電ＩＣ１０３に制御信号を送ることにより、ＵＳＢ充電ＩＣ１０３に設定された充電モードが解除される。すなわち、マイクロコントローラ１０５は、ＵＳＢ充電ＩＣ１０３に設定された充電モードが解除されるように、ＵＳＢ充電ＩＣ１０３の動作を制御する。
【００４８】
図３は、電子装置１の電源線１５３、信号線１５２、スイッチ１１１及びグランド線１５４の状態を時系列で示す図である。図３の（Ａ）は、電子装置１の電源線１５３の電圧レベルの状態を時系列で示している。図３の（Ｂ）は、電子装置１の信号線１５２の電圧レベルの状態を時系列で示している。図３の（Ｃ）は、スイッチ１１１のオン又はオフの状態を時系列で示している。図３の（Ｄ）は、電子装置１のグランド線１５４の電圧レベルの状態を時系列で示している。
【００４９】
図３の（１）は、電子装置１の主電源がオンであって、かつ、電子装置１に電子機器２が接続されている状態の期間を示している。電源ユニット１０２の出力が有効であるため、電子装置１の電源線１５３の電圧レベルはＨｉｇｈレベルである。電子装置１と電子機器２との間で通信が行われているため、電子装置１の信号線１５２の電圧レベルは、Ｈｉｇｈレベル及びＬｏｗレベルが交互に繰り返されている。スイッチ１１１がオン状態であり、電子装置１のグランド線１５４がグランド１３１に接続されているため、電子装置１のグランド線１５４の電圧レベルはＬｏｗレベル（第２所定電圧、グランド電圧）である。
【００５０】
図３の（２）は、電子装置１の主電源がオンであって、かつ、電子装置１に電子機器２が接続されていない状態の期間を示している。電源ユニット１０２の出力が有効であるため、電子装置１の電源線１５３の電圧レベルはＨｉｇｈレベルである。電子装置１の信号端子１２２と電子機器２の信号端子２１２とが接続されていないため、電子装置１の信号線１５２の電圧レベルは、Ｌｏｗレベル（第４所定電圧）である。スイッチ１１１がオン状態であり、電子装置１のグランド線１５４がグランド１３１に接続されているため、電子装置１のグランド線１５４の電圧レベルはＬｏｗレベル（第２所定電圧、グランド電圧）である。
【００５１】
図３の（３）は、電子装置１の主電源がオフであって、かつ、電子装置１に電子機器２が接続されていない状態の期間を示している。電源ユニット１０２の出力が無効であるため、電子装置１の電源線１５３の電圧レベルはＬｏｗレベルである。電子装置１の信号端子１２２と電子機器２の信号端子２１２とが接続されていないため、電子装置１の信号線１５２の電圧レベルは、Ｌｏｗレベル（第４所定電圧）である。スイッチ１１１がオフ状態であり、電子装置１のグランド線１５４とグランド１３１とが非接続の状態である。電子装置１のグランド線１５４はプルアップされているため、電子装置１のグランド線１５
４の電圧レベルはＨｉｇｈレベル（第１所定電圧）である。
【００５２】
図３の（４）は、電子装置１の主電源がオフであって、かつ、電子装置１に電子機器２が接続されている状態の期間を示している。電源ユニット１０２の出力が有効であるため、電子装置１の電源線１５３の電圧レベルはＨｉｇｈレベルである。電子装置１の信号端子１２２と電子機器２の信号端子２１２とが接続され、電子機器２の信号線２３２の電圧レベルがＨｉｇｈレベル（第３所定電圧）にプルアップされている。そのため、電子装置１の信号線１５２の電圧レベルはＨｉｇｈレベル（第３所定電圧）である。スイッチ１１１がオン状態であり、電子装置１のグランド線１５４がグランド１３１に接続されているため、電子装置１のグランド線１５４の電圧レベルはＬｏｗレベル（第２所定電圧、グランド電圧）である。
【００５３】
図３の（５）は、電子装置１の主電源がオフであって、かつ、電子装置１に電子機器２が接続された後、電子装置１と電子機器２とが非接続になった状態の期間を示している。電源ユニット１０２の出力が無効であるため、電子装置１の電源線１５３の電圧レベルはＬｏｗレベルである。電子装置１の信号端子１２２と電子機器２の信号端子２１２とが接続されていないため、電子装置１の信号線１５２の電圧レベルは、Ｌｏｗレベル（第４所定電圧）である。スイッチ１１１がオフ状態であり、電子装置１のグランド線１５４とグランド１３１とが非接続の状態である。電子装置１のグランド線１５４はプルアップされているため、電子装置１のグランド線１５４の電圧レベルはＨｉｇｈレベル（第１所定電圧）である。
【００５４】
電子装置１が、パーソナルコンピュータ及びサーバ等のコンピュータ装置である例を示したが、電子装置１は、電子機器２に給電を行う携帯電話機、スマートフォン等のコンピュータ装置であってもよい。また、電子装置１は、電子機器２に給電を行う充電器であってもよい。電子装置１と電子機器２とを接続するインターフェースは、ＵＳＢ規格に限らず、例えば、ＩＥＥＥ（Institute of Electrical and Electronics Engineers）１３９
４規格のインターフェースであってもよい。
【００５５】
図４は、従来の電子装置４及び電子機器２の構成図である。電子装置４は、スイッチ１１１、ＬＤＯ１１２、抵抗１６１及び配線１６２を備えていない。電子装置４における他の構成要素については、電子装置１と同様である。電子装置１に対して、スイッチ１１１、ＬＤＯ１１２、抵抗１６１及び配線１６２を設けることにより、既存端子を用いて、電子装置１は電子機器２の接続を検出することができる。
【００５６】
電子装置１と電子機器２とが非接続の場合、電源ユニット１０２の出力を無効とすることにより、電子装置１の待機電力を抑えることができる。マイクロコントローラ１０５は、グランド線１５４の電圧レベルの変化に基づいて、電子装置１と電子機器２との接続を検出する。したがって、電子機器２側で流れるリーク電流を検出する場合と比較して、電子装置１と電子機器２との接続を精度良く検出することができる。また、電子機器２側で派生するノイズの影響を受けずに、電子装置１と電子機器２との接続を精度良く検出することができる。
【符号の説明】
【００５７】
１    電子装置
２    電子機器
３    ＵＳＢケーブル
１０１    ＵＳＢポートコネクタ
１０２    電源ユニット
１０３    ＵＳＢ充電ＩＣ
１０４    ＰＣＨ
１０５    マイクロコントローラ
１１１    スイッチ
１１２    ＬＤＯ
１２１、１２２    信号端子
１２３    電源端子
１２４    グランド端子
１２５    フレームグランド
１２６    配線
１３１    グランド
１５１、１５２    信号線
１５３    電源線
１５４    グランド線
１６１    抵抗
１６２    配線
２０１    ＵＳＢポートコネクタ
２０２    ＵＳＢコントローラ
２０３    バッテリ
２１１、２１２    信号端子
２１３    電源端子
２１４    グランド端子
２１５    フレームグランド
２１６    配線
２２１    グランド
２３１、２３２    信号線
２３３    電源線
２３４    グランド線
２４１    抵抗
【図１】
2015207155.tif 000003
【図２】
2015207155.tif 000004
【図３】
2015207155.tif 000005
【図４】
2015207155.tif 000006